(57)【要約】【課題】外部機器から送信されたデータを受信し一旦内部メモリに全て保存して、画像データを印字出力する際に各ユーザが本人確認された後、画像ともに受信する情報に基づき、該ユーザに対応する受信データを一括して印字出力して電力消費を抑制するデータ送受信装置及び受信データ出力方法を提供する。【解決手段】ネットワークＮ１を介してデータの送受信を行うデータ送受信装置１において送信された画像ともに受信する発信元情報が識別され、ユーザを特定するためのパスワードが操作表示部１０４から入力されると、発信元情報と送信者の認証コードとが対応付けられた管理テーブル１１に基づいて判定部１０８によって判定された結果に応じてコントロール部６２は、登録ユーザに対応する画像データを印字出力部１３０から一括して出力させる。【選択図】図２
2013135285.tif 000002
【特許請求の範囲】
【請求項１】
ネットワークを介してデータの送受信を行うデータ送受信装置であって、
送信された前記データを受信する受信部と、
前記データに含まれる発信元情報を識別する識別部と、
前記発信元情報と前記データ送受信装置で登録された登録送信者情報とが対応付けられたテーブルと、前記データとを記憶する記憶部と、
印刷出力する者を特定するための受信者元情報が入力される入力部と、
前記受信者元情報と、前記登録送信者情報と、前記テーブル内の選別情報とを判定する判定部と、
前記データを印刷出力する印刷出力部と、
前記データ送受信装置の動作を制御する制御部と、
を備え、
前記判定部によって判定された結果に基づき、前記制御部は、前記受信者元情報に対応するデータを前記印刷出力部に一括して出力させることを特徴とするデータ送受信装置。
【請求項２】
前記判定部によって判定された結果に基づき前記印刷出力部が、前記受信者元情報に対応するデータを一括して出力する際に、前記受信者元情報に対応するデータを表示する操作表示部を備えることを特徴とする請求項１に記載のデータ送受信装置。
【請求項３】
前記制御部は、所定の時間後に省電力モードに設定し、前記受信者元情報に対応するデータの受信量が所定量に達した際に、一括して印刷出力するように前記操作表示部にメッセージを表示させることを特徴とする請求項２に記載のデータ送受信装置。
【請求項４】
前記テーブルは、前記データを送受信する際に用いる回線の種別を含むことを特徴とする請求項１から３のいずれか１項に記載のデータ送受信装置。
【請求項５】
ネットワークを介して受信したデータを出力する受信データ出力方法であって、
送信された前記データを受信する受信ステップと、
前記データに含まれる発信元情報を識別する識別ステップと、
前記発信元情報と予め登録された登録送信者情報とが対応付けられたテーブルと、前記データとを記憶する記憶ステップと、
印刷出力する者を特定するための受信者元情報を入力する入力ステップと、
前記受信者元情報と、前記登録送信者情報と、前記テーブル内の選別情報とを判定する判定ステップと、
前記データを印刷出力する印刷出力ステップと、
前記受信データ出力方法における前記データの出力動作を制御する制御ステップと、
前記判定ステップによって判定された結果に基づき前記受信者元情報に対応するデータを一括して出力させるステップとを含むことを特徴とする受信データ出力方法。
【請求項６】
前記判定ステップによって判定された結果に基づき前記印刷出力ステップにおいて、前記受信者元情報に対応するデータが一括して出力される際に、前記受信者元情報に対応するデータが表示される操作表示ステップを含むことを特徴とする請求項５に記載の受信データ出力方法。
【請求項７】
前記制御ステップは、所定の時間後に省電力モードに設定し、前記受信者元情報に対応するデータの受信量が所定量に達した際に、前記受信者元情報に対応するデータを一括して印刷出力するようにメッセージを表示する表示ステップを含むことを特徴とする請求項５又は６に記載の受信データ出力方法。
【発明の詳細な説明】
【技術分野】
【０００１】
本発明は、複写機やプリンタ、ファクシミリ等の電子写真方式のデータ送受信装置及び受信データ出力方法を提供する。
【背景技術】
【０００２】
従来のファクシミリ端末やファクシミリ複合機において、消費される電力を抑制する制御が行われる。例えば、未使用時には、待機モードから消費電力モードへ切り替えを行い電力を消費しないような制御が行われている。
【０００３】
一般に、ファクシミリ端末における、データの送受信が行われる動作状態と未使用時（非稼働状態）の待機状態とを比較すると、稼働していない待機状態の時間が、実際に稼働している動作状態の時間よりも長いことが常である。従って、動作状態に入る際に電力を供給するような構成を取ることで消費電力を抑制することが行われている。
【０００４】
そこで、特許文献１では、時間制限モードを有効にさせる有効時間と特定の相手先を記憶して、画像データを受信すると、受信画像データを送信した相手先は記憶部に記憶された相手先か否かの判別と現在時刻が有効時間内か否かの判別とが行われ、該当する場合には、受信画像データを記憶部に記憶し、夜間などの特定の時間帯に特定の相手先から受信した画像データは装置内に記憶することで、受信した重要書類の画像データが排紙トレイに出力されて盗難にあうことを防止する技術が提案されている。
【先行技術文献】
【特許文献】
【０００５】
【特許文献１】特開２００８−１１２１６号
【発明の概要】
【発明が解決しようとする課題】
【０００６】
しかしながら、送信されたデータを受信する毎に、本体を省電力状態から待機状態に切り替えて受信データの印字出力を行う構成では、本体をウォームアップさせる、つまり待機状態にさせるために余分な電力を要する。特許文献１では、送信されたデータを受信順に仕分けを行い印字出力するか、或いは受信データを特定の送信先に基づいて仕分けを行い印字出力するだけで、複数量の受信データを一括して出力した際の仕分け作業の効率化に関しては考慮されておらず、これに伴い電力が多大に消費されるという課題がある。
【０００７】
また、特許文献１では、通信量が多い場合、利便性に欠け、セキュリティの観点からも印字出力を行う際に分割されて印字出力となるため、第三者により出力物を持ち去られる機会が依然として存在するという課題がある。
【０００８】
本発明は、上述のごとき実情に鑑みてなれたもので、外部機器から送信されたデータを受信し一旦内部メモリに全て保存して、画像データを印字出力する際に各ユーザが本人確認された後、外部機器から送信された情報に基づき、該ユーザに対応する受信データを一括して印字出力して電力消費を抑制するデータ送受信装置及び受信データ出力方法を提供することを目的とするものである。
【課題を解決するための手段】
【０００９】
上述した課題を解決するために本発明に係るデータ送受信装置の各構成は、次の通りである。
【００１０】
本発明のデータ送受信装置は、ネットワークを介してデータの送受信を行うデータ送受信装置であって、送信された前記データを受信する受信部と、前記データと共に送信される発信元情報を識別する識別部と、前記発信元情報と前記データ送受信装置で登録された登録送信者情報とが対応付けられたテーブルと、前記データとを記憶する記憶部と、印刷出力する者を特定するための受信者元情報が入力される入力部と、前記受信者元情報と、前記登録送信者情報と、前記テーブル内の選別情報とを判定する判定部と、前記データを印刷出力する印刷出力部と、前記データ送受信装置の動作を制御する制御部と、を備え、前記判定部によって判定された結果に基づき、前記制御部は、前記受信者元情報に対応するデータを前記印刷出力部に一括して出力させることを特徴とするものである。
【００１１】
また、本発明のデータ送受信装置は、前記判定部によって判定された結果に基づき前記印刷出力部が、前記受信者元情報に対応するデータを一括して出力する際に、前記受信者元情報に対応するデータを表示する操作表示部を備えることを特徴とするものである。
【００１２】
また、本発明のデータ送受信装置において、前記制御部は、所定の時間後に省電力モードに設定し、前記受信者元情報に対応するデータの受信量が所定量に達した際に、一括して印刷出力するように前記操作表示部にメッセージを表示させることを特徴とするものである。
【００１３】
また、本発明のデータ送受信装置において、前記テーブルは、前記データを送受信する際に用いる回線の種別を含むことを特徴とするものである。
【００１４】
また、上述した課題を解決するために、本発明に係る受信データ出力方法の各ステップは、次の通りである。
【００１５】
本発明の受信データ出力方法は、ネットワークを介して受信したデータを出力する受信データ出力方法であって、送信された前記データを受信する受信ステップと、前記データと共に送信される発信元情報を識別する識別ステップと、前記発信元情報と予め登録された登録送信者情報とが対応付けられたテーブルと、前記データとを記憶する記憶ステップと、印刷出力する者を特定するための受信者元情報を入力する入力ステップと、前記受信者元情報と、前記登録送信者情報と、前記テーブル内の選別情報とを判定する判定ステップと、前記データを印刷出力する印刷出力ステップと、前記受信データ出力方法における前記データの出力動作を制御する制御ステップと、前記判定ステップによって判定された結果に基づき前記受信者元情報に対応するデータを一括して出力させるステップとを含むことを特徴とするものである。
【００１６】
また、本発明の受信データ出力方法は、前記判定ステップによって判定された結果に基づき前記印刷出力ステップにおいて、前記受信者元情報に対応するデータが一括して出力される際に、前記受信者元情報に対応するデータが表示される操作表示ステップを含むことを特徴とするものである。
【００１７】
また、本発明の受信データ出力方法の前記制御ステップは、所定の時間後に省電力モードに設定し、前記受信者元情報に対応するデータの受信量が所定量に達した際に、前記受信者元情報に対応するデータを一括して印刷出力するようにメッセージを表示する表示ステップを含むことを特徴とするものである。
【発明の効果】
【００１８】
本発明によれば、ネットワークを介してデータの送受信を行うデータ送受信装置であって、送信された前記データを受信する受信部と、前記データと共に送信される発信元情報を識別する識別部と、前記発信元情報と前記データ送受信装置で登録された登録送信者情報とが対応付けられたテーブルと、前記データとを記憶する記憶部と、印刷出力する者を特定するための受信者元情報が入力される入力部と、前記受信者元情報と、前記登録送信者情報と、前記テーブル内の選別情報とを判定する判定部と、前記データを印刷出力する印刷出力部と、前記データ送受信装置の動作を制御する制御部と、を備え、前記判定部によって判定された結果に基づき、前記制御部は、前記受信者元情報に対応するデータを前記印刷出力部に一括して出力させることで、登録した特定のユーザに対し必要なデータだけを一括して印字出力するので利便性が向上し、不要な画像データが印字出力されることを防ぐことができる。また、画像データが印字出力される前に各ユーザの登録パスワードを識別して本人確認を判定し該当する画像データを印字出力するため、画像データの安全性を確保することができる。さらに、一括印字出力するため、画像データを受信する毎にデータ送受信装置を動作モード起動することを防ぐことができ、そのため電力消費を抑制することができるという優れた効果を奏し得る。
【００１９】
本発明によれば、データ送受信装置は、前記判定部によって判定された結果に基づき前記印刷出力部が、前記受信者元情報に対応するデータを一括して出力する際に、前記受信者元情報に対応するデータを表示する操作表示部を備えることで、画像データが印字出力される前に事前に確認できるため、不要な画像データが印字出力されることを防ぐことができるという優れた効果を奏し得る。
【００２０】
本発明によれば、データ送受信装置において、前記制御部は、所定の時間後に省電力モードに設定し、前記受信者元情報に対応するデータの受信量が所定量に達した際に、一括して印刷出力するように前記操作表示部にメッセージを表示させることで、長期間に亘り画像データが未読の状態にあることを防ぐことができ、作業効率を向上することができるという優れた効果を奏し得る。
【００２１】
本発明によれば、データ送受信装置において、前記テーブルは、前記データを送受信する際に用いる回線の種別を含むことで、内部演算処理の簡素化を図ることができるという優れた効果を奏し得る。
【００２２】
本発明によれば、受信データ出力方法は、ネットワークを介して受信したデータを出力する受信データ出力方法であって、送信された前記データを受信する受信ステップと、前記データと共に送信される発信元情報を識別する識別ステップと、前記発信元情報と予め登録された登録送信者情報とが対応付けられたテーブルと、前記データとを記憶する記憶ステップと、印刷出力する者を特定するための受信者元情報を入力する入力ステップと、前記受信者元情報と、前記登録送信者情報と、前記テーブル内の選別情報とを判定する判定ステップと、前記データを印刷出力する印刷出力ステップと、前記受信データ出力方法における前記データの出力動作を制御する制御ステップと、前記判定ステップによって判定された結果に基づき前記受信者元情報に対応するデータを一括して出力させるステップとを含むことで、登録した特定のユーザに対し必要なデータだけを一括して印字出力するので利便性が向上し、不要な画像データが印字出力されることを防ぐことができる。また、画像データが印字出力される前に各ユーザの登録パスワードを識別して本人確認を判定し該当する画像データを印字出力するため、画像データの安全性を確保することができる。さらに、一括印字出力するため、画像データを受信する毎にデータ送受信装置を動作モード起動することを防ぐことができ、そのため電力消費を抑制することができるという優れた効果を奏し得る。
【００２３】
本発明によれば、受信データ出力方法は、前記判定ステップによって判定された結果に基づき前記印刷出力ステップにおいて、前記受信者元情報に対応するデータが一括して出力される際に、前記受信者元情報に対応するデータが表示される操作表示ステップを含むことで、画像データが印字出力される前に事前に確認できるため、不要な画像データが印字出力されることを防ぐことができるという優れた効果を奏し得る。
【００２４】
本発明によれば、受信データ出力方法は、受信データ出力方法の前記制御ステップは、所定の時間後に省電力モードに設定し、前記受信者元情報に対応するデータの受信量が所定量に達した際に、前記受信者元情報に対応するデータを一括して印刷出力するようにメッセージを表示する表示ステップを含むことで、長期間に亘り画像データが未読の状態にあることを防ぐことができ、作業効率を向上することができるという優れた効果を奏し得る。
【図面の簡単な説明】
【００２５】
【図１】本実施形態に係るデータ送受信装置を備えるデータ送受信システムの構成を示す概略図である。
【図２】本実施形態に係るデータ送受信装置の構成を示す概略図である。
【図３】本実施形態に係るデータ送受信装置に含まれる管理テーブルの一例である。
【図４】本実施形態に係るデータ送受信装置の操作表示部に表示された画面の一例である。
【図５】本実施形態に係るデータ送受信装置における受信データ出力方法の前半の処理を示すフローチャートである。
【図６】本実施形態に係るデータ送受信装置における受信データ出力方法の中盤前期の処理を示すフローチャートである。
【図７】本実施形態に係るデータ送受信装置における受信データ出力方法の中盤後期の処理を示すフローチャートである。
【図８】本実施形態に係るデータ送受信装置における受信データ出力方法の後半の処理を示すフローチャートである。
【発明を実施するための形態】
【００２６】
次に、本発明の実施形態に係る受信データの受信データ出力方法を利用したデータ送受信装置１を説明する。
【００２７】
図１は、受信データ出力方法を用いたデータ送受信装置１（１ａ、１ｂ、１ｃ、１ｄ、１ｅ）と、通信ネットワークＮ１、Ｎ２（インターネット及び公衆回線等）を介し、遠隔地の複数のデータ送信装置２０（２０ａ、２０ｂ、２０ｃ）との接続状態を示すデータ送受信システム１０００の構成を示す概略図である。図２は、本実施形態に係る受信データ出力方法を利用いたデータ送受信装置１の構成を示す概略図である。
【００２８】
データ送受信装置１は、図１に示すように、広域通信網である通信ネットワークＮ１、Ｎ２を介して、複数のデータ送信装置２０ａ、２０ｂ、２０ｃに接続されている。詳しくは後述するが、各データ送受信装置１は、データ送信装置２０（２０ａ、２０ｂ、２０ｃ）から送信されるデータを受信し記憶、所定の条件に基づいて出力するように構成されている。以下、データ送受信装置１の一例として、ファクシミリ機能を備えるデジタル複合装置を説明するが、これに限定されず、画像形成装置等の画像データを受信可能な機器に適応することができる。
【００２９】
データ送受信装置１は、図２に示すように、全体の動作を制御するＭＣＵ部（メインコントロールユニット）１０１、通信ネットワークＮ１、Ｎ２を介してデータ送信装置２０との間で画像データの送受信を行なうファクシミリ機能を実現するための制御を行うＦＡＸユニット１０２、送信された原稿のデータを読み取る原稿読取部１０３、タッチパネル式の操作表示部１０４、受信したデータを印刷し出力する印字出力部１３０、電源部１２３を備える。
【００３０】
以下に、データ送受信装置１の各構成要素（セクション）を順次説明する。
【００３１】
ＭＣＵ部１０１は、データ送受信装置１の全体の動作を制御する。ＭＣＵ部１０１は、図２に示すように、原稿読取部１０３、印字出力部１３０、操作表示部１０４、ＦＡＸユニット１０２、及び電源部１２３に接続されている。また、ＭＣＵ部１０１は、これらを制御してデータ送受信装置１としての一般的機能を実現するプログラムを実行するためのコントロール部６２、データ送受信装置１の主動作の制御に使用されるプログラム等を記憶するためのＲＯＭ（Ｒｅａｄ  Ｏｎｌｙ  Ｍｅｍｏｒｙ）６４、種々のプログラムや画像データの記憶領域を提供するための非揮発性メモリ６６、ＦＡＸユニット１０２によって他のファクシミリ装置から受信された画像データに含まれる情報と、予め登録されているユーザ情報等とに基づき、出力する画像データと登録者（ユーザ）とを判定する判定部１０８及び制御に必要なデータをバックアップして保持する不揮発性メモリ（図示せず）、他のファクシミリ装置から受信された画像データの圧縮及び符号化を行う画像処理部１０９とを含む。
【００３２】
コントロール部６２は、データ送受信装置１の全体の制御を司るものであって、ＣＰＵ等から構成されている。
【００３３】
ＲＯＭ６４には、データ送受信装置１の動作を制御するのに必要なプログラム及びデータ等が記憶されている。コントロール部６２は、ＲＯＭ６４に格納されているプログラム及びデータに従ってデータ送受信装置１の制御を行なうと共にデータ送受信装置１の各機能に関する制御を実行する。
【００３４】
非揮発性メモリ６６は、コントロール部６２による演算及び処理の結果を一時的に記憶するワーキングメモリとしての機能と、種々のカウント値、ＪＡＭ及びサービス・エラーの履歴情報、並びに消耗部品の情報等を記憶するバックアップメモリとしての機能と、画像データを記憶するフレームメモリとしての機能とを提供する。例えば、メモリ６６は、ＥＥＰＲＯＭ（Ｅｌｅｃｔｒｉｃａｌｌｙ  ＥｒａｓａｂｌｅＰｒｏｇｒａｍｍａｂｌｅ  Ｒｅａｄ−Ｏｎｌｙ  Ｍｅｍｏｒｙ）やフラッシュメモリを含む。
【００３５】
また、非揮発性メモリ６６は、図３に示すように、選別情報を備える管理テーブル１１を記憶している。選別情報として、管理テーブル１１には、予め登録された複数の登録送信者、該登録送信者の識別コードＣ、送信者側である送信装置２０の番号を相手側に知らせるためのＴＳＩ（Ｔｒａｎｓｍｉｔｔｉｎｇ Ｓｕｂｓｃｒｉｂｅｒ Ｉｄｅｎｔｉｆｉｃａｔｉｏｎ）信号Ｓ、画像データの受信時に基地局（図示せず）から送信される送信者番号を示すナンバーディスプレー情報ＮＤ、画像データを送受信する際に用いる回線の種別Ｌ、受信した画像データの番号Ｈ１及び該画像データの容量（受信データ量）Ｈ２、該画像データを受信した日時を示す受信日時Ｄ、データ送受信装置１を使用するため登録されたユーザ名（登録受信者）、及び各ユーザの本人確認のためパスワードの設定登録情報が含まれている。尚、未登録送信者及び未登録ユーザ（未登録のデータ送受信装置１の使用者）に対しては、未登録を示すコード（未登録者識別コード）が付される。
【００３６】
判定部１０８は、受信した画像データと共に受信する情報（ＴＳＩ信号Ｓ等）と、管理テーブル１１に含まれる、予め設定した上記選別情報とに基づいて、受信した画像データを各登録したユーザ毎に振り分けて記憶するように非揮発性メモリ８４またはフラッシュメモリ８２に指示する。
【００３７】
また、データ送受信装置１の使用者（ユーザ）が、受信した画像データを印字出力部１３０から印字出力させる際に、判定部１０８は、操作表示部１０４において該使用者によって入力された登録パスワードを識別し、該使用者が事前に登録されたユーザであるか否かを判定し、その結果をコントロール部６２へ通知する。判定部１０８の判定結果に基づき、コントロール部６２は、画像データの印字出力の許可及び不許可を決定するので、登録していない使用者によって画像データが印字出力されることを防ぐことができる。
【００３８】
操作表示部１０４は、図４に示すように、タッチパネル式操作表示部１１８、テンキー１１９、電源入力キー１２０、及び受信データ情報設定キー１２１を備える。タッチパネル式操作表示部１１８は、原稿読取部１０３で読み取った画像データやＦＡＸユニット１０２において受信された画像データ及びそれに対応する画像送信情報を表示する。尚、該画像送信情報は、受信した画像データ番号Ｈ１、該画像データの容量（受信データ量）Ｈ２、ナンバーディスプレーＮＤ、送信者側の送信装置の番号を相手側に知らせるためのＴＳＩ信号Ｓ、画像データを送受信する際に用いる回線の種別Ｌ、及び受信日時Ｄ等が含まれる。
【００３９】
テンキー１１９は、主に数字入力を入力する場合に使用する。予め登録した登録パスワードは、データ送受信装置１の使用者によってテンキー１１９から入力される。電源入力キー１２０は、データ送受信装置１の電源部１２３をユーザーによってオン・オフする場合に使用する。
【００４０】
また、ユーザーは、受信データ情報設定キー１２１を使用し、ＦＡＸユニット１０２において受信された画像データの情報に基づく印字出力の条件（印字出力条件）を設定できる。各ユーザーは、印字出力条件を個別に予め設定でき、選択された印字出力条件に基づいて印字出力される。例えば、所定のデータ量（受信データ量）に達した場合に字出力するように設定してもよい。また、所定のデータ形式のみを印字出力するように設定してもよい。
【００４１】
印字出力部１３０は、ＭＵＣ部１０１の指示に基づいて、図示しない給紙部から供給される記録用紙に、画像処理部７６によって処理された画像データ画像を印刷する。
【００４２】
原稿読取部１０３は、データ送受信装置１の上部に配置され、原稿の画像を読み取る。また、原稿読取部１０３は、原稿画像を電気信号に変換して画像データとして取り込むためのＣＣＤ（Charged Couple Device)イメージセンサ（図示せず）、原稿の有無を検知する原稿読取センサ（図示せず）を備えている。画像処理部７６は、読み取った原稿画像を適正な電気信号に変換して各色の画像データを形成し、通信部８６及びフラッシュメモリ８２に伝達する。
【００４３】
電源部１２３は、コントロール部６２からの指示に基づいて、通常の動作モードから消費電力を制限する省電力モードへの移行時及び省電力モードから通常の動作モードへの移行時には、上述の原稿読取部１０３、印字出力部１３０、操作表示部１０４、ＭＣＵ１０１及びＦＡＸユニット１０２への電力の供給及び停止を行う。尚、省電力モード時には、電源部１２３は、通常、ＦＡＸユニット１０２及びコントロール部６２にだけ電力が供給されるように電力を供給する。
【００４４】
省電力モード時にＦＡＸユニット１０２が、ＦＡＸ（画像データ）を受信した場合、ＦＡＸコントロール部７２は、インターフェイス制御部７４を介してコントロール部６２と通信する。コントロール部６２は、電源部１２３に各部に電力を供給するように指示を伝達する。
【００４５】
ＦＡＸユニット１０２は、外部のデータ送信装置２０及び他のファクシミリ装置（図示せず）との通信インターフェイスをとして機能する通信部８６と、通信部８６の動作を制御するためのＮＣＵ（Ｎｅｔｗｏｒｋ  Ｃｏｎｔｒｏｌ  Ｕｎｉｔ）７８と、ＭＣＵ部１０１のコントロール部６２とインターフェイスをとっているインターフェイス制御部７４（ＩＦ制御部）と、通信ネットワークＮ１、Ｎ２を介して他のファクシミリ装置（図示せず）に送信する画像を圧縮及び符号化し、外部のデータ送信装置２０及び他のファクシミリ装置から受信した画像を復元化及び伸張するための画像処理部７６と、外部のデータ送信装置２０及び他のファクシミリ装置から受信した画像を記憶するためのフラッシュメモリ８２とを含む。
【００４６】
ＦＡＸユニット１０２は、さらに、ファクシミリ機能を実現するためのＦＡＸコントロール部７２と、ＦＡＸコントロール部７２の機能を実現するプログラム等を記憶するためのＲＯＭ１（８８）と、ＦＡＸユニット１０２で実行される種々のプログラムの記憶領域を提供するための非揮発性メモリ８４とを含む。尚、ＦＡＸユニット１０２は、通信ネットワークＮ１、Ｎ２を介してデータ送信装置２０から送信された画像データを受信しハードディスク（図示せず）に記憶させる構成としてもよい。
【００４７】
尚、ＮＣＵ７８、インターフェイス制御部７４、画像処理部７６、フラッシュメモリ８２、ＦＡＸコントロール部７２、ＲＯＭ１（８８）及び非揮発性メモリ８４に対する制御はコントロール部６２により行なわれる。
【００４８】
内部給紙ユニット（図示せず）は、画像形成に使用する記録用紙を収納するための給紙トレイ（図示せず）を備え、複数の記録用紙が配置される。給紙トレイは、データ送受信装置１の仕様により規定されたサイズ、または利用者が予め定めたサイズの記録用紙を大量に収納することが可能な構成をとる。また、データ送受信装置１の上面には、排紙トレイ（図示せず）が設けられ、印刷済みの記録用紙がフェイスダウンで排出されて積載されるようになっている。
【００４９】
次に、図５〜図８を参照して、データ送受信装置１における受信データ出力方法を説明する。図５〜図８は、データ送受信装置１における受信データ出力方法を示すフローチャートである。
【００５０】
ユーザーによってデータ送受信装置１が起動された場合（ステップ１０）、データ送受信装置１は、データ送受信装置１として一般的な機能を実現する各種プログラムを起動し（ステップ２０）、ウォームアップが完了するまで待機する（ステップ３０）。データ送受信装置１は、ウォームアップが完了すると、操作画面を操作表示部１０４に表示する（ステップ４０）。
【００５１】
ユーザーによって受信データ情報設定キー１２１が操作され、入力されたデータ送受信装置１の印字出力の条件がフラッシュメモリ８２に記憶される（ステップ５０）。図示しない内部タイマが所定の時間（第１の所定時間）をカウントし、所定のカウント値に達したか否かがコントロール部６２によって監視される。
【００５２】
内部タイマが所定の時間（第１の所定時間）に達した場合（ステップ６０，Ｙ）、コントロール部６２が、ＦＡＸユニット１０２及びコントロール部６２以外の各セクションに対して電力の供給を停止するように電源部１２３に指示を送り、省電力モードに入る（ステップ７０）。
【００５３】
さらに、外部のデータ送信装置２０及び他のファクシミリ装置（図示せず）から画像データ（ＦＡＸデータ）を受信した場合（ステップ８０、Ｙ）、画像データはフラッシュメモリ８２に一時的に保持される。
【００５４】
さらに、受信した画像データに受信した際に送信者番号を示すナンバーディスプレー情報ＮＤを受信したか否かを判定する（ステップ９０）。ナンバーディスプレー情報ＮＤを受信した場合（ステップ９０、Ｙ）、ナンバーディスプレー情報ＮＤをを解析して非揮発性メモリ６６、８４に記憶する（ステップ１００）。
【００５５】
次に、外部機器から送信されたＴＳＩ信号Ｓを検出した場合（ステップ１１０、Ｙ）、ＴＳＩ信号Ｓを解析して非揮発性メモリ６６、８４に記憶する（ステップ１２０）。
【００５６】
続いて、画像データを受信した際に使用した回線の種別に関する情報を非揮発性メモリ６６、８４に記憶する（ステップ１３０）。
【００５７】
ジャンプＪ２を介して、ステップ１４０に進む。受信した画像データに番号を付加し（ステップ１４０）、該画像データを非揮発性メモリ６６、８４に記憶する（ステップ１５０）。
【００５８】
図示しない内部タイマが所定の時間（第２の所定時間）をカウントし（ステップ１６０）、所定のカウント値に達したか否かがコントロール部６２によって監視される。
【００５９】
内部タイマが所定の時間（第２の所定時間）に達した場合（ステップ１６０、Ｙ）、コントロール部６２が、ＦＡＸユニット１０２及びコントロール部６２以外の各セクションに対して電力の供給を停止するように電源部１２３に指示を送り、省電力モードに入る（ステップ１７０）。
【００６０】
省電力モードに入っている状態で、ユーザにより操作表示部１０４が操作された場合、コントロール部６２は、電源部１２３に各セクションに対して電力を送るように指示を送り、データ送受信装置１は、通常動作モードになる（ステップ１９０）。
【００６１】
次に、ユーザにより操作表示部１０４でユーザ名及び登録パスワードが入力された場合（ステップ２００、Ｙ）、判定部１０８は、管理テーブルを参照して入力されたユーザ名及び登録パスワードに該当するものがあるか否かを判定し（ステップ２１０）、判定結果をコントロール部６２へ通知する。
【００６２】
判定部１０８が、管理テーブルを参照して入力されたユーザ名及び登録パスワードに該当するものがないと判定した場合（ステップ２２０、Ｎ）、登録ユーザではないため印字出力を禁止する（ステップ２３０）。
【００６３】
一方、管理テーブルにおいて入力されたユーザ名及び登録パスワードに該当するものがあると判定された場合（ステップ２２０、Ｙ）、ユーザが印字出力される画像データを確認できるように操作表示部１０４に画像データの番号順で画像データを配列する（サムネイル表示）（ステップ２４０）。
【００６４】
コントロール部６２は印字出力部１３０に該当する画像データを一括して印字出力するように指示し、画像データが印字出力部１３０から印字出力される（ステップ２５０）。
【００６５】
ステップ２７０で一括印字出力した画像データの中に他の登録したユーザの画像データが重複しているか判定する（ステップ２６０）。一括印字出力した画像データの中に他の登録したユーザの画像データが重複していない場合（ステップ２６０、Ｎ）、該当する画像データを削除する（ステップ２７０）。
【００６６】
図示しない内部タイマが所定の時間（第３の所定時間）をカウントし（ステップ２８０）、所定のカウント値に達したか否かがコントロール部６２によって監視される。
【００６７】
内部タイマが所定の時間（第３の所定時間）に達した場合（ステップ２８０、Ｙ）、コントロール部６２が、ＦＡＸユニット１０２及びコントロール部６２以外の各セクションに対して電力の供給を停止するように電源部１２３に指示を送り、省電力モードに入る（ステップ２９０）。
【００６８】
また、図示しないが、省電力モード中において、コントロール部６２は、受信データの量が所定値に達していないか監視し、受信した画像データ量が所定値に達した場合に、ユーザに印字出力をするようにメッセージを操作表示部１０４に表示させる構成としても良い。
【００６９】
また、登録されていない複数の送信者（新規の送信元）は、同一の１つの送信者として取り扱うことで管理テーブルを簡素化するようにしても良い。
【００７０】
以上の説明から明らかなように、本実施の形態に係るデータ送受信装置１では、受信した画像データを登録した送信者毎に振り分けて一旦メモリに記憶させて、所定の条件に基づき画像データを蓄積し、画像データの印字出力時には、該当するユーザに必要な画像データのみを一括印字出力するため、ユーザフレンドリー且つ利便性の向上した仕様を構築することができる。また、該当しない画像データの印字出力を防止することができるため、電力消費の低減を図り、部材の消耗の劣化を抑えることができる。さらに、各ユーザ毎に認証を行い本人確認を行うため、画像データが外部に流出することを防ぐことができ、受信した画像データにおけるセキュリティを向上することができる。
【００７１】
また、本実施の形態に係るデータ送受信装置１では、画像データを分類して一括印字出力するため、画像データを受信する毎にデータ送受信装置１を動作モード起動することを防ぐことができ、電力消費を抑制することができる。また、ユーザーが設定した印字出力の条件に従って出力されるため、仕分け作業の必要性を不要にし、印字出力後の作業効率を向上することができる。
【符号の説明】
【００７２】
１（１ａ、１ｂ、１ｃ、１ｄ、１ｅ）  データ送受信装置１
１１  管理テーブル
２０  データ送信装置
６２  コントロール部
６４  ＲＯＭ
６６  非揮発性メモリ
７２  ＦＡＸコントロール部
７４  インターフェイス制御部
７６  画像処理部
７８  ＮＣＵ
８２  フラッシュメモリ
８４  非揮発性メモリ
８６  通信部
８８  ＲＯＭ１
１０１  ＭＣＵ部
１０２  ＦＡＸユニット
１０３  原稿読取部
１０４  操作表示部
１０８  判定部
１０９  画像処理部
１１８  タッチパネル式操作表示部
１１９  テンキー
１２０  電源入力キー
１２１  受信データ情報設定キー
１２３  電源部
１３０  印字出力部
Ｎ１、Ｎ２  通信ネットワーク
【図１】
2013135285.tif 000003
【図２】
2013135285.tif 000004
【図３】
2013135285.tif 000005
【図４】
2013135285.tif 000006
【図５】
2013135285.tif 000007
【図６】
2013135285.tif 000008
【図７】
2013135285.tif 000009
【図８】
2013135285.tif 000010